(57)【特許請求の範囲】
【請求項１】
左右相対する位置に縦向きに配置された一対の固定枠と、横方向一端に操作框が取り付けられ、上記固定枠間に該操作框の操作により横開き式に開閉自在となるように配設された少なくとも１枚のスクリーンと、ワイヤーテンション機構とを備えたスクリーン装置を、一対の相対する縦枠材及び横枠材とからなる枠材に対して取り付けるための取付構造であって、
上記一対の固定枠のスクリーン側にはそれぞれ、縦方向に沿って開口する上記ワイヤーテンション機構のワイヤーを内挿するためのワイヤーガイドが形成され、該ワイヤーが上記スクリーン装置内で上記スクリーンと上記一対の固定枠及び上記操作框との間を架け回されてなり、
上記両固定枠には、上記ワイヤーガイド内で貫通する縦方向に沿って細長い少なくとも１つの縦長孔がそれぞれ設けられ、
上記一対の縦枠材における上記固定枠の縦長孔に対応する位置にはそれぞれ、取付ネジ穴を備えたネジ持ち部材が、固着ネジを貫通させると共に上記縦枠材に穿設された固着ネジ穴に螺合させることにより固着されていて、
上記両固定枠の縦長孔にそれぞれ上記スクリーン側から取付ネジを挿通して上記取付ネジ穴に螺合させることにより、上記スクリーン装置が上記枠材に対して着脱自在且つ縦方向に位置調節可能に装着されており、
さらに、上記スクリーンの横方向他端には、板状の保持片が取り付けられていて、該保持片には、それが保持される固定枠の上記縦長孔に対応する位置に、同様の縦長穴が穿設されており、該縦長穴を通じて対応する上記縦長孔に挿通された上記取付ネジによって、該保持片が上記ワイヤーガイド内で固定枠に保持されている、
ことを特徴とするスクリーン装置の取付構造。
【請求項２】
請求項１記載のスクリーン装置の取付構造において、上記一対の縦枠材は断面コ字状でその凹部の開口を対向させて配設されてなり、また上記ネジ持ち部材は金属板であって、該ネジ持ち部材を該凹部の底壁面にそれぞれ固着することにより、上記両固定枠が上記一対の縦枠材の凹部内にそれぞれ装着されていることを特徴とするスクリーン装置の取付構造。
【請求項３】
請求項１または請求項２記載のスクリーン装置の取付構造において、上記固定枠の縦長孔が、上記ワイヤーガイド内で該固定枠を貫通して該固定枠に止着されたネジ受け部材により形成されており、上記保持片が、上記取付ネジの頭部と該ネジ受け部材との間に挟持されて、上記固定枠に保持されていることを特徴とするスクリーン装置の取付構造。
【請求項４】
請求項３記載のスクリーン装置の取付構造において、上記ネジ受け部材が、上記ワイヤーガイドに沿って縦方向に貫通するワイヤー通路孔を備えていて、該ワイヤー通路孔に上記ワイヤーガイドに内挿されたワイヤーが挿通されていることを特徴とするスクリーン装置の取付構造。
【発明の詳細な説明】
【０００１】
【発明の属する技術分野】
この発明は、枠材に対するスクリーン装置の取付構造に関するものであって、特に、ワイヤーテンション機構を備えたスクリーン装置の枠材に対する組み付けや着脱を容易に行うことができるスクリーン装置の取付構造に関するものである
【０００２】
【従来の技術】
従来、枠材に対して着脱自在に装着したスクリーン装置としては特開平６−１２９１７５号公報に開示されたものが知られている。当該従来技術においては、図７に示すように、窓部に建て付けられているサッシ枠の縦枠５０に一体に形成された縦枠ヒレ５０ａに、ピース部材５１がネジ５２で挟持固定され、該ピース部材５１に対して前後方向にルーズ孔５３ａ，５３ｂが形成された側部框部材５３を、ネジ５４を該ルーズ孔５３ａ，５３ｂに挿通して上記ピース部材５１に螺合する一方、スクリーン５７の一端が係着された固定部材５６の一部を図示しない面ファスナで上記側部框部材５３に対して固定して組み付けられている。そして、ワイヤーテンション機構のワイヤー５８が、各プリーツ部５７ａに挿通され、スクリーン５７の他端に取り付けられた図示しない操作框及び上記固定部材に架け渡されている。
【０００３】
したがって、上記固定部材５６を上記側部框部材５３に対して面ファスナで組み付けられているので、上記スクリーン５７を側部框部材５３に対して容易に着脱することができ、また、側部框部材５３に形成されたルーズ孔５３ａ，５３ｂにより、縦枠５０に対する側部框部材５３の内外方向の位置、すなわち、現場合わせで縦枠５０に対するスクリーン５７の前後方向の位置を調節することが可能となっている。
【０００４】
しかしながら、上記従来のスクリーン装置においては、固定部材を面ファスナで取り付ける構造となっているため、風にあおられた時や開閉時にスクリーンに無理な力が加わると面ファスナは剥がれやすく、しかも、固定部材と側部框部材にそれぞれ面ファスナの対を正確に対向させて取り付けないと、面ファスナの対同士が十分に噛み合わず剥がれやすくなるため、面ファスナの取り付け位置には正確さが要求され、組み付け作業が煩雑となる。また、組み付け後にスクリーン装置の縦方向の位置を調節することも、同様の理由により好ましくない。
【０００５】
【発明が解決しようとする課題】
したがって本発明の課題は、上記の様な問題点を解決し、スクリーン装置を、枠材に対して確実に固定できる一方、着脱や縦方向の位置調節も容易で、簡単に組み付け作業を行うことができるスクリーン装置の取付構造を提供することにある。
【０００６】
【課題を解決するための手段】
上記課題を解決するための本発明に係るスクリーン装置の取付構造は、左右相対する位置に縦向きに配置された一対の固定枠と、横方向一端に操作框が取り付けられ、上記固定枠間に該操作框の操作により横開き式に開閉自在となるように配設された少なくとも１枚のスクリーンと、ワイヤーテンション機構とを備えたスクリーン装置を、一対の相対する縦枠材及び横枠材とからなる枠材に対して取り付けるための取付構造であって、上記一対の固定枠のスクリーン側にはそれぞれ、縦方向に沿って開口する上記ワイヤーテンション機構のワイヤーを内挿するためのワイヤーガイドが形成され、該ワイヤーが上記スクリーン装置内で上記スクリーンと上記一対の固定枠及び上記操作框との間を架け回されてなり、上記両固定枠には、上記ワイヤーガイド内で貫通する縦方向に沿って細長い少なくとも１つの縦長孔がそれぞれ設けられ、上記一対の縦枠材における上記固定枠の縦長孔に対応する位置にはそれぞれ、取付ネジ穴を備えたネジ持ち部材が、固着ネジを貫通させると共に上記縦枠材に穿設された固着ネジ穴に螺合させることにより固着されていて、上記両固定枠の縦長孔にそれぞれ上記スクリーン側から取付ネジを挿通して上記取付ネジ穴に螺合させることにより、上記スクリーン装置が上記枠材に対して着脱自在且つ縦方向に位置調節可能に装着されており、さらに、上記スクリーンの横方向他端には、板状の保持片が取り付けられていて、該保持片には、それが保持される固定枠の上記縦長孔に対応する位置に、同様の縦長穴が穿設されており、該縦長穴を通じて対応する上記縦長孔に挿通された上記取付ネジによって、該保持片が上記ワイヤーガイド内で固定枠に保持されていることを特徴とするものである。
【０００７】
なお、上記一対の縦枠材を断面コ字状として、その凹部の開口を対向させて配設し、また上記ネジ持ち部材を金属板として、該ネジ持ち部材を前記凹部の底壁面にそれぞれ固着することにより、上記両固定枠を上記一対の縦枠材の凹部内にそれぞれ装着しても良い。
【０００８】
また、上記固定枠の縦長孔が、上記ワイヤーガイド内で該固定枠を貫通して該固定枠に止着されたネジ受け部材により形成され、上記保持片が、上記取付ネジの頭部と該ネジ受け部材との間に挟持されて、上記固定枠に保持されていても良い。またその際、上記ネジ受け部材が、上記ワイヤーガイドに沿って縦方向に貫通するワイヤー通路孔を備えていて、該ワイヤー通路孔に上記ワイヤーガイドに内挿されたワイヤーが挿通されていても良い。
【０００９】
【作用及び効果】
本発明に係るスクリーン装置の取付構造によれば、一対の縦枠材における固定枠の縦長孔に対応する位置にそれぞれ、取付ネジ穴が穿設されたネジ持ち部材を、固着ネジを貫通させて上記縦枠材に穿設された固着ネジ穴に螺合して固着し、上記縦長孔に取付ネジをそれぞれスクリーン側から挿通して上記ネジ持ち部材の取付ネジ穴に螺合することにより、スクリーン装置を枠材に対して取り付ける構造となっているので、スクリーン装置を枠材に対して強固に装着できるばかりでなく、上記取付ネジを操作することにより、上記枠材に対するスクリーン装置の着脱や縦方向位置の調節を容易に行うことができる。その際、ワイヤーテンション機構のワイヤーが上記スクリーン装置内でスクリーンと操作框及び固定枠に架け回されているので、上記ワイヤーの複雑な架け外しを行う必要がない。しかも、スクリーン装置を上記枠材に最初に組み付ける際の縦枠材に対するネジ持ち部材の縦方向の固着位置も、上記固定枠に設けられた縦長穴の長さの範囲内で誤差が許容されるため、組み付け作業も容易となる。
【００１０】
また、上記スクリーンの横方向端部に、上記固定枠の縦長孔に対応する位置に同様の縦長穴が穿設された板状の保持片を取り付け、該縦長穴を通じて対応する上記縦長孔に挿通された上記取付ネジによって、該保持片が上記ワイヤーガイド内で固定枠に保持されていることから、スクリーンの端部を固定枠に保持させるための専用の部品を必要としないため、部品点数を減らすことができる。
【００１１】
【発明の実施の形態】
以下に片引きのスクリーン装置１を、左右相対する位置に縦向きに配置された２本の側部框部材２１，２２と、上下相対する位置に横向きに配置された上部框部材２３及び下部框部材２４とからなる枠材２０に装着する場合を例にとり、本発明の一実施形態を図１〜６に基づいて詳細に説明する。
【００１２】
まず、スクリーン装置１について詳述すると、スクリーン装置１は、左右相対する位置に縦向きに配置された一対の固定枠３，４と、一端に操作框６を取り付けると共に他端を上記一方の固定枠３に固定保持させたスクリーン２と、ワイヤーテンション機構５とからなり、上記操作框６の操作によりスクリーン２が上記固定枠３，４間で横開き式に開閉できるようになっている。そして該スクリーン装置１は、断面がコ字状の一対の側部框部材２１、２２、上部框部材２３及び下部框部材２４から形成される枠材２０の凹部２１ａ，２２ａ，２３ａ，２４ａに着脱自在に装着されている。
【００１３】
上記スクリーン２は、上下方向すなわち縦方向に形成された多数のひだ２ａからなり、その一端のひだ２ａが上記操作框６に図示しない固定手段により固定され、他端のひだ２ａには、上記ワイヤーテンション機構５のワイヤー５ａを挿通するための貫通穴２ｃ及び後述する取付ネジ７を挿通するための縦長穴２ｄが縦方向に沿ってそれぞれ少なくとも１つ設けられた保持片２ｂが、接着等の手段により取り付けられている。
【００１４】
一方、上記固定枠３は、前記スクリーン２の高さとほぼ同じ長さで、２つの側壁３ａを中央フレーム３ｂで連結したＨ形状断面を有しており、該中央フレーム３ｂの一面側には、側壁３ａの両開口縁に沿って舌片３ｃを設けてその開口幅を上記保持片２ｂの幅よりも狭めることにより、上記ワイヤーテンション機構５のワイヤー５ａが内挿されると共に上記スクリーン２の保持片２ｂを保持する保持部としての機能をも兼ね備えるワイヤーガイド３ｄが形成されている。
また、該中央フレーム３ｂには、該固定枠３を上記側部框部材２１に装着する際に取付ネジ７を挿通するための縦長孔９ａを備えた少なくとも１つのネジ受け部材９が、該中央フレーム３ｂを貫通させると共に一体成形された係止爪９ｃを上記中央フレーム３ｂの他面側の両開口縁に設けられた係止片３ｅに係合させることにより止着されている。なお、固定枠４についても同様の構造を有している。
【００１５】
ここで、上記ネジ受け部材９は合成樹脂からなり、その中央部には、上記保持片２ｂの縦長穴２ｄと同程度の寸法を有し、取付ネジ７を挿通することにより上記固定枠３、４すなわちスクリーン装置１を上記側部框部材２１，２２に対して着脱自在かつ縦方向に位置調節可能に装着するための縦長孔９ａが形成されており、また、該ネジ受け部材９の上記ワイヤーガイド３ｄ内に位置する部分であって該縦長孔９ａを挟む位置には、該縦長孔９ａと直交する方向すなわちワイヤーガイド３ｄ方向沿って、該ワイヤーガイド３ｄに内挿されたワイヤー５ａを挿通すためのワイヤー通路孔９ｂがそれぞれ形成されている。
なお、該ネジ受け部材９を上記固定枠３に設ける個数は、スクリーン２のサイズ等に応じて適宜決めればよい。
【００１６】
また、上記ワイヤーテンション機構５は図面には詳細に示されていないが、ワイヤー５ａの一端を操作框６に固定すると共に、該ワイヤー５ａを、上記スクリーン２の多数のひだ２ａそれぞれに貫通させ、該スクリーン２の保持片２ａに穿設された貫通穴２ｃを介して上記固定枠３のワイヤーガイド３ｄに内挿してその一端部まで導き、該ワイヤーガイド３ｄの一端部からスクリーンを保持していない他方の固定枠４のワイヤーガイドの一端部に架け渡してその他端部まで内挿する共にその他端部から上記操作框６に再び架け渡し、該ワイヤー５ａの他端を該操作框６に固定することにより、スクリーン２の各ひだ２ａを貫通するワイヤー５ａが、スクリーン装置１内で２本の固定枠３，４と操作框６との間を架け回されている構造を有している。
【００１７】
そして、上記のようなワイヤー５ａが図１に示すように、スクリーンの２上部、中央部及び下部の３カ所にそれぞれ貫挿されている。このように、ワイヤーテンション機構５のワイヤー５ａはスクリーン装置１内で架け回されているので、スクリーン装置１を枠材２０に対して着脱する度に、ワイヤー５ａを取外したり装着し直す必要性が無く、スクリーン装置１の着脱、交換を簡単に行うことができる。なお、ワイヤー５ａの本数はスクリーン２の高さ等に応じて適宜増減することができるのはもちろんである。その際、当然上記保持片２ａに設けられる貫通穴２ｃの個数もワイヤー５ａの本数に応じて増減する。また、ワイヤーテンション機構５はスクリーン装置１内で上記スクリーン２と上記固定枠３，４及び上記操作框６の間を架け回すものであれば、どのような架け回し方のものを採用しても良い。
【００１８】
次に、上記枠材２０を形成する上記一対の側部框部材２１，２２、上部框部材２３及び下部框部材２４について詳述する。
側部框部材２１，２２は共に断面コ字形状で同じ構造を有しており、その凹部２１ａ，２２ａの開口を対向させて左右相対する位置に縦向きに配置されている。よってここでは重複を避けるため側部框部材２１について説明することとする。側部框部材２１の凹部２１ａの底壁は二重底になっている。その底壁面２１ｂには、上記スクリーン装置１の固定枠３を装着する際に用いられるネジ持ち部材１０を位置決めする為の２本の凸条２１ｃが、縦方向に沿って延設されており、該凸条２１ｃ間であって上記スクリーン装置１の固定枠３に取り付けられたネジ受け部材９に対応する位置には、取付ネジ７の先端を挿通するための貫通孔２１ｄが穿設されていると共に、該貫通孔２１ｄ近傍の上下位置にはネジ持ち部材１０を固着するための２つの固着ネジ穴２１ｅがそれぞれ穿設されている。
【００１９】
ここで、上記ネジ持ち部材１０は長方形で上記２本の凸条２１ｃの間隔と同じ幅を有する金属板からなり、その中央には上記取付ネジ７を螺合するための取付ネジ穴１０ａが穿設されており、また該取付ネジ穴１０ａ近傍の上下位置にはそれぞれ、固着ネジ８を挿通して上記固着ネジ穴２１ｅに螺合するための貫通孔１０ｂが穿設されている。
【００２０】
一方、上部框部材２３と下部框部材２４も互いに同じ構造を有しており、断面コ字形状で、その凹部２３ａの底壁は二重底となっていると共に該底壁にスリット２３ｂを長さ方向すなわち横方向に沿って延設することにより、スライドレール２３ｃが形成されている。そして、上記スクリーン２を横方向に開閉自在に支持するスライドフック１１の一端が、上記スライドレール２３ｃにスライド自在に支持されている。ここで、該スライドフック１１の他端は、上記スクリーン２の表面に図示しない面ファスナー等の手段によって着脱自在に取り付けられているか、もしくは、上記スクリーン２のひだ２ａを貫通する上記ワイヤーテンション機構５のワイヤー５ａに図示しないフックによって引っ掛けられている。なお、本スクリーン装置１の枠材２０への装着にあたって、スライドフック１１は必ずしも必要ではなく、適宜装着すれば良い。
【００２１】
このような構造を有する上記枠材２０に上記スクリーン装置１を装着するにあたっては、まず、上記ネジ持ち部材１０の取付ネジ穴１０ａの縦方向位置と、上記固定枠３，４のネジ受け部材９に形成された縦長孔９ａの縦方向位置とが、該縦長孔９ａの長さの範囲で一致するように、上記側部框部材２１の底壁面２１ｂに上記ネジ持ち部材１０を固着するための貫通孔２１ｄ及び２つの固着ネジ穴２１ｅをそれぞれ上記２本の凸条間に穿設する。そして、上記上記ネジ持ち部材１０の２つの貫通孔１０ｂにそれぞれ固着ネジ８を挿通し、該固着ネジ８を上記２つの固着ネジ穴２１ｅに螺合することにより、上記ネジ持ち部材１０を上記側部框部材２１に固着する。なお側部框部材２２に対しても、上記ネジ持ち部材１０を同様の方法により固着する。
【００２２】
次に、スクリーン２が取り付けられる一方の固定枠３については、上記スクリーン２の保持片２ａを、該保持片２ａの縦長穴２ｄと上記ネジ受け部材９の縦長孔９ａとが一致するように、上記固定枠３のワイヤーガイド３ｄ内にセットし、該固定枠３を上記側部框部材２１の凹部２１ａに内挿して適宜位置決めをしたら、上記取付ネジ７を、上記保持片２ａの縦長穴２ｄ側から該縦長穴２ｄと上記縦長孔９ａを貫いて挿入すると共に上記ネジ持ち部材１０の取付ネジ穴１０ａに螺合して、上記保持片２ｂと上記ネジ受け部材９を上記取付ネジ７の頭部と側部框部材２１のネジ持ち部材１０との間に挟持させることにより、取付ネジ１本で上記スクリーン２を上記固定枠３に保持させることができると共に、上記固定枠３を上記側部框部材２１に対して着脱自在に装着することができる。
【００２３】
ここで、スクリーン２の保持片２ａを固定枠３に対して取付ネジ７で取り付けているが、保持部すなわちワイヤーガイド３ｄ内に保持させることが出来るのであればその他の手段を用いても良い。
また、スクリーン２を取り付けない他方の固定枠４についても、保持片２ｂを介在させない点以外は、同様にして上記側部框部材２２に対して着脱自在に装着される。
【００２４】
したがって、スクリーン装置１を側部框部材２１，２２すなわち枠材２０に対して強固に装着できるばかりでなく、その際、ワイヤーテンション機構５のワイヤー５ａが上記スクリーン装置１内でスクリーン２と操作框６及び固定枠３に架け回されているので、上記ワイヤー５ａの複雑な架け外しを行うこと無く、単に取付ネジ７を操作することにより、着脱や縦方向位置の調節を容易に行うことができる。
また、スクリーン装置１を枠材２０に最初に組み付ける際の側部框部材２１，２２に対するネジ持ち部材１０の縦方向の固着位置についても、上記固定枠３，４に設けられた縦長孔９ａや保持片２ａに穿設された縦長穴２ｄの長さの範囲内で誤差が許容されるため、組み付け作業も容易となる。
【００２５】
なお、上記実施例ではスクリーン装置１を、２本の側部框部材２１，２２、上部框部材２３及び下部框部材２４からなる枠材２０に装着する場合を例にあげたが、既存のサッシ枠を枠材２０としてそれに直接装着することも可能である。また、本実施例では、スクリーン２が片方の固定枠３にのみ保持されている片開きのスクリーン装置１を装着する場合を例にあげたが、スクリーン２が両方の固定枠３，４に保持されている両開きのものであっても良い。
【図面の簡単な説明】
【図１】本発明に係るスクリーン装置の取付構造を示す部分破断正面図。
【図２】図１の破断部の部分拡大図。
【図３】図１のＡ−Ａ断面図。
【図４】図１のＢ−Ｂ断面図。
【図５】本発明に係るスクリーン装置の取付状態を示す説明図。
【図６】本発明に係るスクリーン装置の取付状態を示す斜視図。
【図７】従来技術を示す説明図。
【符号の説明】
１      ・・・・・スクリーン装置
２      ・・・・・スクリーン
２ａ    ・・・・・ひだ
２ｂ    ・・・・・保持片
２ｄ    ・・・・・縦長穴
３，４  ・・・・・固定枠
３ｄ    ・・・・・ワイヤーガイド
５      ・・・・・ワイヤーテンション機構
５ａ    ・・・・・ワイヤー
６      ・・・・・操作框
７      ・・・・・取付ネジ
８      ・・・・・固着ネジ
９      ・・・・・ネジ受け部材
９ａ    ・・・・・縦長孔
１０    ・・・・・ネジ持ち部材
１０ａ  ・・・・・取付ネジ穴
２０    ・・・・・枠材
２１，２２・・・・側部框部材（縦枠材）
２１ａ，２２ａ・・凹部
２１ｂ  ・・・・・底壁面
２１ｅ  ・・・・・固着ネジ穴
２３    ・・・・・上部框部材（横枠材）
２４    ・・・・・下部框部材（横枠材）
【図１】
0003730540.tif 000002
【図２】
0003730540.tif 000003
【図３】
0003730540.tif 000004
【図４】
0003730540.tif 000005
【図５】
0003730540.tif 000006
【図６】
0003730540.tif 000007
【図７】
0003730540.tif 000008